(57)【特許請求の範囲】
【請求項１】
固定金型と、該固定金型に対向して水平移動可能な可動金型と、前記固定金型と前記可動金型との間で水平移動可能に構成された中間金型とを備えた金型装置における前記中間金型を支持し、前記中間金型とともに移動可能に構成された中間金型支持装置であって、
前記中間金型を自動で昇降させる昇降機構と、
前記中間金型支持装置から前記中間金型に加えられる力を検出する検出機構と、を有している、中間金型支持装置。
【請求項２】
前記中間金型を下方から支える金型受け面を有し、
前記昇降機構は前記金型受け面を昇降させるように構成されている、請求項１に記載の中間金型支持装置。
【請求項３】
前記中間金型を支持する前記金型受け面を少なくとも２つ以上有し、
前記昇降機構を各々の前記金型受け面に対応して少なくとも２つ以上有し、
少なくとも２つ以上の前記昇降機構は各々の前記金型受け面を独立して昇降させるように構成されている、請求項１または２に記載の中間金型支持装置。
【請求項４】
前記中間金型を支持する前記金型受け面を少なくとも２つ以上有し、
前記昇降機構を各々の前記金型受け面に対応して少なくとも２つ以上有し、
前記昇降機構に着脱可能に構成され、前記昇降機構を同期して作動させるカップリング機構を備えている、請求項１または２に記載の中間金型支持装置。
【請求項５】
前記中間金型支持装置を案内するタイバーが通されるタイバー挿入部と、
前記タイバー挿入部に挿入される前記タイバーの側面に面する第１のガイドと、前記タイバーの下面に面する第２のガイドと、を備えている、請求項１から４のいずれか１項に記載の中間金型支持装置。
【請求項６】
固定金型と、
該固定金型に当接および離間可能に構成され、該固定金型に当接した状態で該固定金型とともにキャビティを形成する中間金型と、
該中間金型に当接および離間可能に構成され、該中間金型に当接した状態で該中間金型とともにキャビティを形成する可動金型と、
前記中間金型を支持し、前記中間金型とともに移動可能に構成された中間金型支持装置と、を備えた金型装置であって、
前記中間金型支持装置は、前記中間金型を自動で昇降させる昇降機構と、前記中間金型支持装置から前記中間金型に加えられる力を検出する検出機構と、を有している、金型装置。
【請求項７】
前記中間金型を水平方向に案内するガイドを備え、
前記中間金型支持装置は、前記中間金型を下方から支える金型受け面を有しており、
前記昇降機構は、前記金型受け面を昇降させるように構成されている、請求項６に記載の金型装置。
【発明の詳細な説明】
【技術分野】
【０００１】
本発明は、中間金型支持装置および金型装置に関し、特に、固定金型、中間金型および可動金型を備えた金型装置における中間金型を支持する中間金型支持装置に関するものである。
【背景技術】
【０００２】
射出成型装置には、固定金型、中間金型および可動金型が水平方向に並べられた金型装置を備えたものがある。中間金型は、固定金型と可動金型の間に設けられている。金型装置は、形締めされた状態で、中間金型と固定金型との間、および中間金型と可動金型との間にキャビティを形成する。射出成型装置は、これらのキャビティに溶融樹脂を供給し、複数の製品を同時に成形することができる。
【０００３】
中間金型は、固定金型を支持する固定盤と可動金型を支持する可動盤との間に水平方向に架設されるタイバーに摺動自在に支持されたり、固定金型から水平方向に突出したガイドバーに支持されたりする。しかしながら、中間金型の重みでタイバーやガイドバーが撓み、型合わせの際にパーティングラインがずれたり、成形品の品質が低下したりするという問題がある。
【０００４】
このような問題を解決するため、特開２００４−１２２６８９号（以下、特許文献１と呼ぶ。）には、中間金型の下方にベッド部が設けられ、このベッド部に支持台が摺動自在に設けられ、この支持台に中間金型が位置決め固定された射出成型装置が開示されている。また、中間金型は、固定金型から可動金型に向かって突出するガイドバーに係合し、案内される。
【０００５】
この射出成型装置では、中間金型が、タイバーやガイドバーなどで支持されるだけではなく、支持台の上に位置決め固定されるため、ガイドバーが中間金型の重みで撓むことがないとされている。
【先行技術文献】
【特許文献】
【０００６】
【特許文献１】特開２００４−１２２６８９号
【発明の概要】
【発明が解決しようとする課題】
【０００７】
特許文献１に記載の射出成形装置では、中間金型支持装置が中間金型を適切に支持しているかどうか不明である。中間金型を取り換えた場合や、温度、湿度、装置の設置状態などの条件が変化した場合などでは、ガイドバーなどに予期しない力（負荷）が加えられることがあるという問題がある。特許文献１において、この問題は一切触れられておらず、その対策は講じられていない。
【０００８】
装置の一部、例えばガイドバーに強い負荷が加えられると、ガイドバーの磨耗や破損が生じたり、金型同士の位置ずれに起因する成形品の品質低下を招いたりする虞がある。
【０００９】
本発明の目的は、中間金型を適切に支持することができる中間金型支持装置、及びそれを備えた金型装置を提供することにある。
【課題を解決するための手段】
【００１０】
本発明の一態様における中間金型支持装置は、固定金型と、固定金型に対向して水平移動可能な可動金型と、固定金型と可動金型との間で水平移動可能に構成された中間金型とを備えた金型装置における中間金型を支持し、中間金型とともに移動可能に構成されている。さらに、中間金型支持装置は、中間金型を自動で昇降させる昇降機構と、中間金型支持装置から中間金型に加えられる力を検出する検出機構と、を有している。
【００１１】
本発明の一態様における金型装置は、固定金型と中間金型と可動金型と中間金型支持装置とを備えている。中間金型は、固定金型に当接および離間可能に構成され、固定金型に当接した状態で固定金型とともにキャビティを形成する。可動金型は、中間金型に当接および離間可能に構成され、中間金型に当接した状態で中間金型とともにキャビティを形成する。中間金型支持装置は、中間金型を支持し、中間金型とともに移動可能に構成されている。さらに、中間金型支持装置は、中間金型を自動で昇降させる昇降機構と、中間金型支持装置から中間金型に加えられる力を検出する検出機構と、を有している。
【発明の効果】
【００１２】
本発明によれば、昇降機構を用いて中間金型支持装置を昇降することによって、中間金型支持装置から中間金型に加えられる荷重を調整することができる。したがって、金型を取り付け直した場合や、新しい金型に取り換えた場合や、温度、湿度、装置の設置状態などの条件が変化した場合などであっても、中間金型支持装置は中間金型を適切に支持することができる。
【図面の簡単な説明】
【００１３】
【図１】一実施形態に係る金型支持装置を備えた金型装置の正面図である。
【図２】金型支持装置の構成の一例を示す概略図である。
【図３】図２に示す金型支持装置の、Ｙ方向の一端側の構造を示す概略図である。
【発明を実施するための形態】
【００１４】
以下、本発明の実施形態について図面を参照して説明する。
【００１５】
図１は、一実施形態における射出成型機を構成する金型装置を示している。射出成型機は、金型装置および射出装置を備えている。射出装置は、例えば熱硬化性樹脂のような原料を金型装置へ送るノズル３０を有している。
【００１６】
金型装置は、固定金型２、中間金型３および可動金型４を備えている。中間金型３は固定金型２と可動金型４との間に設けられている。中間金型３は、固定金型２に当接および離間可能に構成されている。中間金型３は、固定金型２に当接した状態で固定金型２とともにキャビティ２９ａを形成する。可動金型４は、中間金型３に当接および離間可能に構成されている。可動金型４は、中間金型３に当接した状態で中間金型３とともにキャビティ２９ｂを形成する。固定金型２と中間金型３とが当接し、かつ中間金型３と可動金型４とが当接した型締め状態で射出成型が実行される。
【００１７】
本実施形態では、可動金型４は水平移動可能に構成された可動盤６に取り付けられており、固定金型２は固定盤７に取り付けられている。可動盤６と固定盤７との間にはタイバー２４が架設されている。可動盤６は、タイバー２４に沿って図中Ｘ方向に往復移動可能になっている。中間金型３は、固定金型２から概ね水平方向に突出したガイド５に案内され、このガイド５に沿って摺動可能に構成されている。
【００１８】
ノズル３０から型締めされた金型装置へ送られた液状の原料は、固定金型２に設けられたランナ２８を通って、固定金型２および中間金型３によって構成されたキャビティ２９ａに達し、さらに、中間金型３に設けられたランナ２８を通って可動金型４および中間金型３によって構成されたキャビティ２９ｂに達する。液状の原料は、キャビティ２９ａ，２９ｂ内で硬化されて成型品となる。
【００１９】
金型装置は、中間金型３を支持し、中間金型３とともに移動可能な中間金型支持装置１を備えている。本実施形態では、中間金型支持装置１は、型締ベッド９の上に設けられた取り付けのレール８に案内され、可動盤６と固定盤７との間を中間金型３とともに移動可能に構成されている。中間金型支持装置１は、レール８上をスムーズに移動するため、複数、例えば４つのコロ２７を備えていることが好ましい。また、中間金型支持装置１は、スライドシューによって移動可能に構成されても良い。
【００２０】
図２は、図１に示す中間金型支持装置１の一構成例を図のＸ方向から見た平面図である。本発明の中間金型支持装置１は、中間金型３を昇降する昇降機構を備えている。さらに、中間金型支持装置１は、中間金型支持装置１から中間金型３に加えられる力（荷重）を検出する検出機構を備えていることが好ましい。
【００２１】
本実施形態では、昇降機構として油圧ジャッキ１１が、検出機構としてロードセル１４が用いられている。中間金型３は、中間金型支持装置１の金型受け面１５によって下方から支えられている。
【００２２】
具体的には、金型支持台１０の上に油圧ジャッキ１１が配置されており、油圧ジャッキ１１によって、ロードセル１４および金型受け面１５が上昇および下降する。油圧ジャッキ１１による上昇および下降は、ガイド１２及びブシュ１３により案内されている。なお、金型受け面１５には、中間金型３の設置位置を決める位置決めピン１６が設けられていることが好ましい。
【００２３】
ロードセル１４は、金型受け面１５に加えられる荷重を検出する。この荷重は、中間金型３の重量と等しいときに最適である。この荷重が中間金型３の重量よりも小さい場合には、中間金型３からガイド５に下向きの力がかかっている。この荷重が中間金型３の重量よりも大きい場合には、中間金型３からガイド５に上向きの力がかかっている。
【００２４】
中間金型３からガイド５に力がかかっている状態で中間金型３が移動すると、ガイド５が摩耗または破損してしまう。本実施形態では、油圧ジャッキ１１を用いて中間金型３を昇降することによって、中間金型支持装置１から中間金型３に加えられる荷重を調整することができる。これにより、金型を取り付け直した場合や、新しい金型に取り換えた場合や、温度、湿度、装置の設置状態などの条件が変化した場合であっても、中間金型支持装置１は中間金型３を適切に支持することができる。その結果、金型装置の破損、特にガイド５の磨耗や破損を防止したり、金型２，３，４同士の位置ずれに起因する成形品の品質低下を抑制したりすることができる。
【００２５】
ロードセル１４は、金型受け面１５に加えられる荷重を常時監視することが好ましい。これにより、この荷重を適切にするように昇降機構を自動または手動調整したり、この荷重が異常な範囲になった場合に金型装置を自動的に停止したりする機能を搭載することができる。
【００２６】
本実施形態では、中間金型支持装置１は２つの油圧ジャッキ１１を備えており、２つの油圧ジャッキ１１は、連結用ロッド１７及びカップリング機構１８により連結されている。これにより、一方の油圧ジャッキ１１を上昇または下降させることによって、両ジャッキ１１が同期して動作するという利点がある。
【００２７】
これに代えて、カップリング機構１８を用いずに、両ジャッキ１１を独立して作動させて、２つの金型受け面１５を独立して上昇または下降させることも可能である。２つのジャッキ１１を同期させるカップリング機構１８は、着脱可能であることが好ましい。これにより、独立した昇降動作と同期した昇降動作とを切り替えることができる。
【００２８】
なお、図２では、金型受け面１５およびこれに対応する油圧ジャッキ１１は２つずつ描かれているが、金型受け面１５および油圧ジャッキ１１は１つ、あるいは３つ以上設けられていても良い。
【００２９】
図３は、一実施形態における中間金型支持装置１の一端部（図のＹ方向における端部）の構造を示している。図示していないが、本実施形態の中間金型支持装置１の他端部側も同様の構成となっている。
【００３０】
中間金型支持装置１の一端部には、油圧ジャッキ１１から延在した延長ロッド２５が設けられており、延長ロッド２５にはハンドル２６が取り付けられている。油圧ジャッキ１１はハンドル２６を回すことで作動する。
【００３１】
また、金型支持台１０の両端には、タイバー２４が通されるタイバー挿入部が存在し、ガイド取付板１９、側方ガイド２０及び上方ガイド２１が設けられている。側方ガイド２０の先端には側方スライドシュ２２が設けられており、上方ガイド２１の先端には上方スライドシュ２３が設けられている。
【００３２】
これらのスライドシュ２２，２３は、タイバー挿入部に通されたタイバー２４の側面または下面に面している。スライドシュ２２，２３は、タイバー２４とガイド２０，２１が直接接することを防止し、タイバー２４を保護している。スライドシュ２２，２３および側方ガイド２０は、取り外し可能な構成になっていることが好ましい。
【００３３】
通常、金型の開閉時には、中間金型３はガイド５に沿って移動するため、スライドシュ２２，２３がタイバー２４と接触しないようになっている。型締ベッド９を傾ける等した場合、スライドシュ２２，２３がタイバー２４に接触し、金型装置からの中間金型支持装置１のずれが防止される。これにより、中間金型支持装置１の直進性が確保されるとともに、中間金型支持装置１が金型装置から脱落するなどの虞が防止される。
【００３４】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００３５】
１    中間金型支持装置
２    固定金型
３    中間金型
４    可動金型
５    ガイド
６    可動盤
７    固定盤
８    レール
９    型締ベッド
１０  金型支持台
１１  油圧ジャッキ（昇降機構）
１２  ガイド
１３  ブッシュ
１４  ロードセル（検出機構）
１５  金型受け面
１６  位置決めピン
１７  連結用ロッド
１８  カップリング機構
１９  ガイド取付板
２０  側方ガイド
２１  上方ガイド
２２  側方スライドシュ
２３  上方スライドシュ
２４  タイバー
２５  延長ロッド
２６  ハンドル
２７  コロ
２８  ランナ
２９ａ，２９ｂ  キャビティ
３０  ノズル
【図１】
0005553813.tif 000002
【図２】
0005553813.tif 000003
【図３】
0005553813.tif 000004